(57)【要約】【課題】内視鏡シースに挿入部を容易に挿通することが可能な細径の分離型内視鏡を提供する。【解決手段】分離型内視鏡は、筒状のシース本体２２、シース先端部２３、並びに、シース本体２２に挿通されている少なくとも１つの管部であって、シース先端部２３に管部の先端部が接続されており、各管部は送水チューブ２９、送気チューブ２８、及び、チャンネルチューブ３０の内のいずれか１つのチューブ３０である管部、を有する内視鏡シース２１と、シース本体２２内に挿通可能な細長い挿入部３４を有する内視鏡本体３３と、挿入部３４が取り付けられる取付部５５、取付部５５の外周部から延出する延出部４９、及び、延出部４９に形成され管部の外周面に倣う形状を有し管部の外周面において管部の長手方向に摺動可能なガイド面５１、を有するガイド部材４８と、を有する。【選択図】図２
2009089724.tif 000002
【特許請求の範囲】
【請求項１】
筒状のシース本体、前記シース本体の先端部に設けられているシース先端部、並びに、前記シース本体内に挿通されている少なくとも１つの管部であって、前記シース先端部に前記管部の先端部が接続されており、各管部は送気チューブ、送水チューブ、及び、チャンネルチューブの内のいずれか１つのチューブである管部、を有する内視鏡シースと、
前記シース本体内に挿通可能な細長い挿入部であって、前記挿入部の先端部には撮像部が設けられている挿入部、を有する内視鏡本体と、
前記挿入部が取り付けられる取付部、前記取付部の外周部から延出する延出部、及び、前記延出部に形成され前記管部の外周面に倣う形状を有し前記管部の外周面において前記管部の長手方向に摺動可能なガイド面、を有するガイド部材と、
を具備することを特徴とする分離型内視鏡。
【請求項２】
前記ガイド面は、前記管部の周方向について、前記管部の外周面の一部分に倣う形状を有する、
ことを特徴とする請求項１に記載の分離型内視鏡。
【請求項３】
前記ガイド面は、前記管部の周方向について、前記管部の外周面の全体に倣う形状を有する、
ことを特徴とする請求項１に記載の分離型内視鏡。
【請求項４】
前記シースは、２つの前記管部を有し、
前記ガイド部材は、２つの前記ガイド面を有し、
各ガイド面は、夫々、対応する各管部の外周面において各管部の長手方向に摺動可能である、
ことを特徴とする請求項１に記載の分離型内視鏡。
【請求項５】
前記シースは、３つの前記管部を有し、
前記ガイド部材は、３つの前記ガイド面を有し、
各ガイド面は、夫々、対応する各管部の外周面において各管部の長手方向に摺動可能である、
ことを特徴とする請求項１に記載の分離型内視鏡。
【請求項６】
前記挿入部の長手方向に互いに並設される複数の前記ガイド部材を有する、
ことを特徴とする請求項１に記載の分離型内視鏡。
【請求項７】
前記管部又は前記ガイド部材は、前記管部の外周面と前記ガイド部材の前記ガイド面との間の摩擦を低減する摩擦低減部を有する、
ことを特徴とする請求項１に記載の分離型内視鏡。
【請求項８】
前記摩擦低減部は、前記ガイド面に形成されている凹凸形状を有する、
ことを特徴とする請求項７に記載の分離型内視鏡。
【請求項９】
前記摩擦低減部は、前記管部の外周面に形成されている凹凸形状を有する、
ことを特徴とする請求項７に記載の分離型内視鏡。
【請求項１０】
前記摩擦低減部は、前記ガイド面を形成し前記ガイド部材の他の部分よりも摩擦の小さな低摩擦部材を有する、
ことを特徴とする請求項７に記載の分離型内視鏡。
【請求項１１】
前記摩擦低減部は、前記管部の外周面を形成し前記管部の他の部分よりも摩擦の小さな低摩擦部材を有する、
ことを特徴とする請求項７に記載の分離型内視鏡。
【請求項１２】
請求項１から１１のいずれか１項に記載の分離型内視鏡の内視鏡シース。
【請求項１３】
請求項１から１１のいずれか１項に記載の分離型内視鏡の内視鏡本体。
【請求項１４】
請求項１から１１のいずれか１項に記載の分離型内視鏡のガイド部材。
【発明の詳細な説明】
【技術分野】
【０００１】
本発明は、内視鏡シースと内視鏡本体とが組み合わされる分離型内視鏡に関する。
【背景技術】
【０００２】
分離型内視鏡を使用する際には、内視鏡シース内に内視鏡本体の挿入部が挿通されて収容されており、内視鏡シースが内視鏡本体に着脱自在に装着されている。挿入部は、内視鏡シース内に収容された状態で、内視鏡シースと共に体腔内へと挿入され、内視鏡による観察等が行われる。通常の内視鏡では、感染症等を防止するために、使用毎に、内視鏡全体の洗浄、消毒を行う必要がある。これに対して、分離型内視鏡では、内視鏡シースを安価な構成として、これを使用後に使い捨てとすることで、挿入部の洗浄、消毒を省略することを可能としている。
【０００３】
特許文献１には、カバー式内視鏡が開示されている。特許文献１のカバー式内視鏡では、内視鏡シースとしてのカバー内に、送気チューブ、送水チューブ、チャンネルチューブが組み込まれている。即ち、チューブ類は、カバー内に挿通され、カバーの先端部から基端部まで延びている。カバー内においてチューブ類が互いに重なり合っていると、カバー内に挿入部を挿通しにくくなる。このようなチューブ類の重なり合いを解消するために、挿入部の先端部に、複数の突片を有するセパレータが配設されている。カバーの基端部において、セパレータの突片によってチューブ類の基端部を互いに離隔し、続いて、カバーに挿入部を挿入していくことで、挿入部の挿入によってチューブ類の重なり合いを解消することが可能となっている。
【特許文献１】特開平８−８９４７３号公報
【発明の開示】
【発明が解決しようとする課題】
【０００４】
分離型内視鏡では、長尺で細径な内視鏡シース内に長尺な挿入部を挿入することになるため、挿入作業が面倒なものとなっている。
【０００５】
特に、特許文献１のカバー式内視鏡では、挿入部の挿入によってチューブ類の重なり合いを解消するようにしているため、挿入抵抗が比較的大きくなり、挿入部の先端部を先端側へと的確に誘導することもできず、挿入作業が困難なものとなっている。
【０００６】
本発明は、上記課題に着目してなされたもので、その目的とするところは、内視鏡シースに挿入部を容易に挿通することが可能な細径の分離型内視鏡を提供することである。
【課題を解決するための手段】
【０００７】
本発明の第１実施態様では、分離型内視鏡は、筒状のシース本体、前記シース本体の先端部に設けられているシース先端部、並びに、前記シース本体内に挿通されている少なくとも１つの管部であって、前記シース先端部に前記管部の先端部が接続されており、各管部は送気チューブ、送水チューブ、及び、チャンネルチューブの内のいずれか１つのチューブである管部、を有する内視鏡シースと、前記シース本体内に挿通可能な細長い挿入部であって、前記挿入部の先端部には撮像部が設けられている挿入部、を有する内視鏡本体と、前記挿入部が取り付けられる取付部、前記取付部の外周部から延出する延出部、及び、前記延出部に形成され前記管部の外周面に倣う形状を有し前記管部の外周面において前記管部の長手方向に摺動可能なガイド面、を有するガイド部材と、を具備することを特徴とする。
【０００８】
本発明の第２実施態様では、分離型内視鏡は、前記ガイド面は、前記管部の周方向について、前記管部の外周面の一部分に倣う形状を有する、ことを特徴とする。
【０００９】
本発明の第３実施態様では、分離型内視鏡は、前記ガイド面は、前記管部の周方向について、前記管部の外周面の全体に倣う形状を有する、ことを特徴とする。
【００１０】
本発明の第４実施態様では、分離型内視鏡は、前記シースは、２つの前記管部を有し、前記ガイド部材は、２つの前記ガイド面を有し、各ガイド面は、夫々、対応する各管部の外周面において各管部の長手方向に摺動可能である、ことを特徴とする。
【００１１】
本発明の第５実施態様では、分離型内視鏡は、前記シースは、３つの前記管部を有し、前記ガイド部材は、３つの前記ガイド面を有し、各ガイド面は、夫々、対応する各管部の外周面において各管部の長手方向に摺動可能である、ことを特徴とする。
【００１２】
本発明の第６実施態様では、分離型内視鏡は、前記挿入部の長手方向に互いに並設される複数の前記ガイド部材を有する、ことを特徴とする。
【００１３】
本発明の第７実施態様では、分離型内視鏡は、前記管部又は前記ガイド部材は、前記管部の外周面と前記ガイド部材の前記ガイド面との間の摩擦を低減する摩擦低減部を有する、ことを特徴とする。
【００１４】
本発明の第８実施態様では、分離型内視鏡は、前記摩擦低減部は、前記ガイド面に形成されている凹凸形状を有する、ことを特徴とする。
【００１５】
本発明の第９実施態様では、分離型内視鏡は、前記摩擦低減部は、前記管部の外周面に形成されている凹凸形状を有する、ことを特徴とする。
【００１６】
本発明の第１０実施態様では、分離型内視鏡は、前記摩擦低減部は、前記ガイド面を形成し前記ガイド部材の他の部分よりも摩擦の小さな低摩擦部材を有する、ことを特徴とする。
【００１７】
本発明の第１１実施態様では、分離型内視鏡は、前記摩擦低減部は、前記管部の外周面を形成し前記管部の他の部分よりも摩擦の小さな低摩擦部材を有する、ことを特徴とする。
【発明の効果】
【００１８】
本発明の第１実施態様の分離型内視鏡では、シース本体内でシース本体の長手方向に管部を整列し、管部の基端部において管部の外周面にガイド面を当接させ、管部の基端部から先端部へと管部の外周面においてガイド面を摺動させて、管部によってガイド部材を誘導し、シース本体内に挿入部を挿入していく。このため、内視鏡シース内に挿入部を容易に挿通することが可能となっている。また、管部として、内視鏡シース内に本来備わっている送気チューブ、送水チューブ、あるいは、チャンネルチューブを用いているため、ガイド部材を誘導するための追加の部材を内視鏡シースに設ける必要がなく、分離型内視鏡の太径化が回避されている。
【００１９】
本発明の第２実施態様の分離型内視鏡では、管部の周方向について、管部の外周面の一部分においてガイド面が摺動されるため、分岐のある管部であってもガイド面を摺動させることが可能となっている。
【００２０】
本発明の第３実施態様の分離型内視鏡では、管部の周方向について、管部の外周面の全体においてガイド面が摺動されるため、ガイド面を確実かつ安定的に摺動させることが可能となっている。
【００２１】
本発明の第４実施態様の分離型内視鏡では、２組の管部とガイド面とによってガイド部材が誘導されるため、ガイド部材を確実かつ安定的に誘導することが可能となっている。
【００２２】
本発明の第５実施態様の分離型内視鏡では、３組の管部とガイド面とによってガイド部材が誘導されるため、ガイド部材を充分に確実かつ安定的に誘導することが可能となっている。
【００２３】
本発明の第６実施態様の分離型内視鏡では、２つのガイド部材を用いることで、挿入部を確実かつ安定的に挿入することが可能となっている。
【００２４】
本発明の第７実施態様の分離型内視鏡では、摩擦低減部によって管部の外周面とガイド面との間の摩擦が低減されているため、管部の外周面においてガイド面を円滑に摺動することができ、挿入部を円滑に挿入することが可能となっている。
【００２５】
本発明の第８実施態様の分離型内視鏡では、ガイド面の凹凸形状によって、管部の外周面とガイド面との接触面積が減少されることになるため、管部の外周面とガイド面との間の摩擦が低減される。
【００２６】
本発明の第９実施態様の分離型内視鏡では、管部の外周面の凹凸形状によって、管部の外周面とガイド面との接触面積が減少されることになるため、管部の外周面とガイド面との間の摩擦が低減される。
【００２７】
本発明の第１０実施態様の分離型内視鏡では、ガイド面を低摩擦部材によって形成することにより、管部の外周面とガイド面との間の摩擦を低減している。
【００２８】
本発明の第１１実施態様の分離型内視鏡では、管部の外周面を低摩擦部材によって形成することにより、管部の外周面とガイド面との間の摩擦を低減している。
【発明を実施するための最良の形態】
【００２９】
以下、本発明の各実施形態を図面を参照して説明する。
【００３０】
図１から図３は、本発明の第１実施形態を示す。
【００３１】
図１及び図２を参照し、分離型内視鏡の内視鏡シース２１は、肉厚円板状のシース先端部２３を有する。シース先端部２３には、透明な観察窓２４が配設されている。また、シース先端部２３の先端側には観察窓２４に向かう送気ノズル２５、送水ノズル２６が配設されており、シース先端部２３にはチャンネル開口２７が形成されている。シース先端部２３の外周部には全周にわたって段差が形成されており、シース先端部２３の基端側２３ａは先端側に対して細径となっている。シース先端部２３の基端側２３ａには、長尺で柔軟な円筒状のシース本体２２の先端部が被覆されている。また、シース先端部２３の基端側２３ａには円管状の送気チューブ２８、送水チューブ２９、チャンネルチューブ３０の先端部が連結されており、送気チューブ２８、送水チューブ２９、チャンネルチューブ３０は、夫々、送気ノズル２５、送水ノズル２６、チャンネル開口２７に接続されている。送気チューブ２８、送水チューブ２９、チャンネルチューブ３０は、シース本体２２内に挿通されて、シース本体２２の基端開口から延出されている。なお、シース本体２２の基端部２２ａにおいて、チャンネルチューブ３０から分岐管３１が分岐して延びており、分岐管３１はシース本体２２の基端部２２ａに突設されている処置具挿入口金３２の内端部に接続されている。チャンネルチューブ３０は、吸引用と処置具の挿通用とに兼用される。
【００３２】
分離型内視鏡の内視鏡本体３３は、内視鏡シース２１のシース本体２２内に挿通される細長い挿入部３４を有する。挿入部３４では、先端側から順に、硬性の先端硬性部３５、湾曲作動される湾曲部３６、長尺で可撓性の可撓管部３７が連設されている。ここで、先端硬性部３５には、撮像部３８が内蔵されている。撮像部３８は、照明光を生成する照明ユニットと、観察画像を撮像する撮像ユニットと、から形成されている。挿入部３４がシース本体２２に挿通された場合には、挿入部３４の先端面が内視鏡シース２１のシース先端部２３の観察窓２４の基端側に配置され、観察窓２４を介して照明、観察が行われる。挿入部３４の基端部は、シース本体２２の基端部２２ａが着脱自在に接続されるシース接続部３９に連結されている。シース接続部３９には、内視鏡シース２１の送気チューブ２８、送水チューブ２９、チャンネルチューブ３０の基端部が夫々接続される送気口金４１、送水口金４２、吸引口金４３が配設されている。シース接続部３９の基端部には、操作部４４が連結されている。操作部４４には、湾曲部３６を操作するための湾曲操作ノブ４５、送気作動、送水作動、吸引作動、撮像作動を操作するための各種ボタン４６が配設されている。操作部４４からユニバーサルコード４７が延出されており、ユニバーサルコード４７は、送気、送水、吸引、撮像のための各種周辺装置に接続される。
【００３３】
図２及び図３を参照し、シース本体２２に挿入部３４を容易に挿入するための構成について説明する。
【００３４】
シース本体２２内では、送気チューブ２８、送水チューブ２９、チャンネルチューブ３０がシース本体２２の長手方向に整列され、互いに並列されている。
【００３５】
挿入部３４の先端部は、ガイド部材４８に連結されている。即ち、ガイド部材４８の取付部５５には取付孔５６が貫通形成されており、挿入部３４は取付孔５６に挿通されてガイド部材４８に固定されている。ガイド部材４８は、取付部５５の外周部から挿入部３４の径方向に延出されている延出部４９を有する。延出部４９の延出端部側には凹形状のガイド凹部５０が形成されており、ガイド凹部５０は挿入部３４の長手方向に延びている。ガイド凹部５０を規定する面によって、ガイド面５１が形成されている。挿入部３４の長手方向に直交する横断面では、ガイド面５１は、チャンネルチューブ３０の略半周に倣う形状を有する。即ち、チャンネルチューブ３０の外周面にガイド面５１を当接させ、チャンネルチューブ３０をガイド部材４８に嵌め込むことで、ガイド部材４８をチャンネルチューブ３０に係止させることが可能である。そして、ガイド面５１は、チャンネルチューブ３０の外周面において、チャンネルチューブ３０の長手方向に摺動可能である。
【００３６】
次に、本実施形態の分離型内視鏡の組み合わせ方法について説明する。
【００３７】
内視鏡シース２１のシース本体２２の基端開口から延出されている送気チューブ２８、送水チューブ２９、チャンネルチューブ３０の基端部を引っ張って、シース本体２２内において、送気チューブ２８、送水チューブ２９、チャンネルチューブ３０をシース本体２２の長手方向に整列させ、互いに並列させる。そして、チャンネルチューブ３０の基端部の外周面にガイド部材４８のガイド面５１を当接させて、ガイド部材４８にチャンネルチューブ３０を嵌め込み、チャンネルチューブ３０にガイド部材４８を係止させる。続いて、シース本体２２内に挿入部３４を押し込んでいくと、チャンネルチューブ３０の外周面においてガイド面５１がチャンネルチューブ３０の長手方向に基端側から先端側へと摺動され、チャンネルチューブ３０に沿ってガイド部材４８が基端側から先端側へと誘導され、シース本体２２内に挿入部３４の先端部が挿入されていく。なお、分岐管３１によってガイド部材４８の移動が妨げられないように、チャンネルチューブ３０に対してガイド部材４８をチャンネルチューブ３０の分岐管３１とは反対側に配置するようにする。このようにして、シース本体２２に挿入部３４が挿通される。この後、送気チューブ２８、送水チューブ２９、チャンネルチューブ３０の基端部を内視鏡本体３３の送気口金４１、送水口金４２、吸引口金４３に接続し、シース本体２２の基端部を内視鏡本体３３のシース接続部３９に接続させる。
【００３８】
従って、本実施形態の分離型内視鏡は次の効果を奏する。
【００３９】
本実施形態の分離型内視鏡では、シース本体２２内に挿入部３４を挿入する際には、チャンネルチューブ３０の外周面においてガイド面５１がチャンネルチューブ３０の長手方向に基端側から先端側へと摺動され、チャンネルチューブ３０に沿ってガイド部材４８が基端側から先端側へと誘導されるため、内視鏡シース２１に挿入部３４を容易に挿通することが可能となっている。また、ガイド部材４８を誘導するために、内視鏡シース２１に本来備わっているチャンネルチューブ３０を用いているため、ガイド部材４８を誘導するための追加の部材を内視鏡シース２１に設ける必要がなく、分離型内視鏡の太径化が回避されている。
【００４０】
また、ガイド面５１はチャンネルチューブ３０の略半周のみを覆っているため、チャンネルチューブ３０に対してガイド部材４８をチャンネルチューブ３０の分岐管３１とは反対側に配置することで、分岐管３１によって妨げられることなくガイド部材４８を移動させることが可能となっている。
【００４１】
図４は、本発明の第１実施形態の第１変形例を示す。
【００４２】
本変形例のガイド部材４８のガイド面５１は、送気チューブ２８の略半周に倣う形状を有し、送気チューブ２８の外周面において摺動される。
【００４３】
また、ガイド面５１を送水チューブ２９の略半周に倣う形状とし、送水チューブ２９の外周面において摺動させるようにしてもよい。
【００４４】
図５及び図６は、本発明の第２実施形態を示す。
【００４５】
図５及び図６を参照し、本実施形態の内視鏡シース２１には処置具挿入口金３２は配設されておらず、チャンネルチューブ３０は分岐されていない。即ち、チャンネルチューブ３０は吸引にのみ用いられる。ガイド部材４８の延出端部側には、挿入部３４の長手方向にガイド孔５２が貫通されている。ガイド孔５２を規定する周面によって、ガイド面５１が形成されている。挿入部３４の長手方向に直交する横断面において、ガイド面５１は、チャンネルチューブ３０の全周に倣う形状を有する。
【００４６】
分離型内視鏡を組み合わせる際には、シース本体２２の基端部から延出されているチャンネルチューブ３０の基端部をガイド部材４８のガイド孔５２に挿通させる。続いて、シース本体２２内に挿入部３４を押し込んでいくと、チャンネルチューブ３０の外周面の全周においてガイド面５１が摺動され、チャンネルチューブ３０に沿ってガイド部材４８が誘導され、シース本体２２内に挿入部３４の先端部が挿入されていく。
【００４７】
本実施形態の分離型内視鏡では、チャンネルチューブ３０の外周面の全周においてガイド面５１が摺動されるため、ガイド面５１を確実かつ安定的に摺動させることが可能となっている。
【００４８】
図７は、本発明の第２実施形態の変形例を示す。
【００４９】
本変形例のガイド部材４８のガイド面５１は、送気チューブ２８の全周に倣う形状を有し、送気チューブ２８の外周面の全周において摺動される。
【００５０】
また、ガイド面５１を送水チューブ２９の全周に倣う形状とし、送水チューブ２９の外周面の全周において摺動させるようにしてもよい。
【００５１】
図８は、本発明の第３実施形態を示す。
【００５２】
本実施形態のガイド部材４８では、延出部４９の延出端部側に、挿入部３４の長手方向に延びている第１及び第２のガイド凹部５０ａ，５０ｂが形成されている。第１及び第２のガイド凹部５０ａ，５０ｂを規定する面によって、夫々、第１及び第２のガイド面５１ａ，５１ｂが形成されている。第１及び第２のガイド面５１ａ，５１ｂは、チャンネルチューブ３０、送気チューブ２８の略半周に倣う形状を夫々有し、整列されたチャンネルチューブ３０、送気チューブ２８の外周面に同時に当接するような配置を有する。
【００５３】
分離型内視鏡を組み合わせる際には、シース本体２２の基端部から延出されているチャンネルチューブ３０、送気チューブ２８の基端部の外周面に、ガイド部材４８の第１、第２のガイド面５１ａ，５１ｂを夫々当接させて、ガイド部材４８にチャンネルチューブ３０及び送気チューブ２８を嵌め込み、チャンネルチューブ３０及び送気チューブ２８にガイド部材４８を係止させる。シース本体２２内に挿入部３４を押し込んでいくと、チャンネルチューブ３０、送気チューブ２８の外周面において第１、第２のガイド面５１ａ，５１ｂが夫々摺動され、チャンネルチューブ３０及び送気チューブ２８に沿ってガイド部材４８が誘導されていく。
【００５４】
本実施形態の分離型内視鏡では、２組のチューブ３０，２８とガイド面５１ａ，５１ｂとによってガイド部材４８が誘導されるため、１組のチューブ及びガイド面のみによってガイド部材４８を誘導する場合と比較して、ガイド部材４８を確実かつ安定的に誘導することが可能となっている。
【００５５】
図９は、本発明の第３実施形態の第１変形例を示す。
【００５６】
第１変形例のガイド部材４８では、第１及び第２のガイド面５１ａ，５１ｂは、送気チューブ２８、送水チューブ２９の略半周に倣う形状を夫々有し、整列された送気チューブ２８、送水チューブ２９の外周面に同時に当接するような配置を有する。
【００５７】
また、第１及び第２のガイド面５１ａ，５１ｂを、チャンネルチューブ３０、送水チューブ２９の略半周に倣う形状を夫々有し、整列されたチャンネルチューブ３０、送水チューブ２９の外周面に同時に当接するような配置を有するようにしてもよい。
【００５８】
図１０は、本発明の第３実施形態の第２変形例を示す。
【００５９】
本実施形態のガイド部材４８では、延出部４９の延出端部側に、挿入部３４の長手方向に第１及び第２のガイド孔５２ａ，５２ｂが貫通されている。第１及び第２のガイド孔５２ａ，５２ｂを規定する周面によって、夫々、第１及び第２のガイド面５１ａ，５１ｂが形成されている。第１及び第２のガイド面５１ａ，５１ｂは、チャンネルチューブ３０、送気チューブ２８の全周に倣う形状を夫々有し、整列されたチャンネルチューブ３０、送気チューブ２８の外周面に同時に当接するような配置を有する。
【００６０】
図１１は、本発明の第３実施形態の第３変形例を示す。
【００６１】
本変形例のガイド部材４８では、第１及び第２のガイド孔５２ａ，５２ｂを規定する周面によって、夫々、第１及び第２のガイド面５１ａ，５１ｂが形成されている。第１及び第２のガイド面５１ａ，５１ｂは、送気チューブ２８、送水チューブ２９の全周に倣う形状を夫々有し、整列された送気チューブ２８、送水チューブ２９の外周面に同時に当接するような配置を有する。
【００６２】
また、第１及び第２のガイド面５１ａ，５１ｂを、チャンネルチューブ３０、送水チューブ２９の全周に倣う形状を夫々有し、整列されたチャンネルチューブ３０、送水チューブ２９の外周面に同時に当接するような配置を有するようにしてもよい。
【００６３】
図１２は、本発明の第４実施形態を示す。
【００６４】
本実施形態のガイド部材４８では、延出部４９の延出端部側に、挿入部３４の長手方向に延びている第１から第３のガイド凹部５０ａ，５０ｂ，５０ｃが形成されている。第１から第３のガイド凹部５０ａ，５０ｂ，５０ｃを規定する面によって、夫々、第１から第３のガイド面５１ａ，５１ｂ，５１ｃが形成されている。第１から第３のガイド面５１ａ，５１ｂ，５１ｃは、チャンネルチューブ３０、送気チューブ２８、送水チューブ２９の略半周に倣う形状を夫々有し、整列されたチャンネルチューブ３０、送気チューブ２８、送水チューブ２９の外周面に同時に当接するような配置を有する。
【００６５】
分離型内視鏡を組み合わせる際には、シース本体２２の基端部から延出されているチャンネルチューブ３０、送気チューブ２８、送水チューブ２９の基端部の外周面にガイド部材４８の第１から第３のガイド面５１ａ，５１ｂ，５１ｃを夫々当接させて、ガイド部材４８にチャンネルチューブ３０、送気チューブ２８及び送水チューブ２９を嵌め込み、チャンネルチューブ３０、送気チューブ２８及び送水チューブ２９にガイド部材４８を係止させる。シース本体２２内に挿入部３４を押し込んでいくと、チャンネルチューブ３０、送気チューブ２８、送水チューブ２９の外周面において第１から第３のガイド面５１ａ，５１ｂ，５１ｃが夫々摺動され、チャンネルチューブ３０、送気チューブ２８及び送水チューブ２９に沿ってガイド部材４８が誘導されていく。
【００６６】
本実施形態の分離型内視鏡では、３組のチューブ３０，２８，２９とガイド面５１ａ，５１ｂ，５１ｃとによってガイド部材４８が誘導されるため、２組のチューブとガイド面とのみによってガイド部材４８を誘導する場合と比較して、ガイド部材４８を確実かつ安定的に誘導することが可能となっている。
【００６７】
図１３は、本発明の第４実施形態の第１変形例を示す。
【００６８】
本変形例のガイド部材４８では、第１から第３のガイド面５１ａ，５１ｂ，５１ｃは、チャンネルチューブ３０、送気チューブ２８、送水チューブ２９の略１／３周に倣う形状を夫々有し、整列されたチャンネルチューブ３０、送気チューブ２８、送水チューブ２９の外周面に同時に当接するような配置を有する。
【００６９】
図１４は、本発明の第４実施形態の第２変形例を示す。
【００７０】
本変形例のガイド部材４８では、第１から第３のガイド面５１ａ，５１ｂ，５１ｃは、チャンネルチューブ３０の略２／３周、送気チューブ２８の略１／４周、送水チューブ２９の略１／４周に倣う形状を夫々有し、整列されたチャンネルチューブ３０、送気チューブ２８、送水チューブ２９の外周面に同時に当接するような配置を有する。
【００７１】
図１５は、本発明の第４実施形態の第３変形例を示す。
【００７２】
本変形例のガイド部材４８では、延出部４９の延出端部側に、挿入部３４の長手方向に延びているガイド凹部５０が形成されており、さらに、挿入部３４の長手方向に第１及び第２のガイド孔５２ａ，５２ｂが貫通されている。ガイド凹部５０を規定する面、第１及び第２のガイド孔５２ａ，５２ｂを規定する周面によって、夫々、第１から第３のガイド面５１ａ，５１ｂ，５１ｃが形成されている。第１から第３のガイド面５１ａ，５１ｂ，５１ｃは、チャンネルチューブ３０の略半周、送気チューブ２８の全周、送水チューブ２９の全周に倣う形状を夫々有し、整列されたチャンネルチューブ３０、送気チューブ２８、送水チューブ２９の外周面に同時に当接するような配置を有する。
【００７３】
図１６は、本発明の第５実施形態を示す。
【００７４】
本実施形態では、挿入部３４の先端硬性部３５の先端部及び基端部に、夫々、第１実施形態のガイド部材４８と同様な構成の第１及び第２のガイド部材４８ａ，４８ｂが配設されている。
【００７５】
分離型内視鏡を組み合わせる際には、シース本体２２の基端部から延出されているチャンネルチューブ３０の基端部に第１のガイド部材４８ａを係止し、必要に応じて第１のガイド部材４８ａをチャンネルチューブ３０に沿って先端側へと移動させた後、チャンネルチューブ３０の基端部に第２のガイド部材４８ｂを係止する。シース本体２２内に挿入部３４を押し込んでいくと、チャンネルチューブ３０に沿って第１及び第２のガイド部材４８ａ，４８ｂが基端側から先端側へと誘導され、シース本体２２内に挿入部３４の先端部が挿入されていく。
【００７６】
本実施形態の分離型内視鏡では、２つのガイド部材４８ａ，４８ｂを用いることで、１つのガイド部材を用いる場合と比較して、挿入部３４を確実かつ安定的に挿入することが可能となっている。
【００７７】
また、ガイド部材の個数、挿入部３４の長手方向に対するガイド部材の配置について、適宜設定することが可能である。例えば、ガイド部材の配置位置を湾曲部３６に設定することで、湾曲部３６が外力に追従して変形するフリー状態にある場合であっても、湾曲部３６の不要な変形を抑制して、シース本体２２内に挿入部３４を円滑に挿入することが可能となる。
【００７８】
図１７は、本発明の第６実施形態を示す。
【００７９】
本実施形態の分離型内視鏡の構成は、図５及び図６に示される第２実施形態の分離型内視鏡の構成と同様である。但し、本変形例のガイド部材４８のガイド面５１には、凹凸形状としての第１から第４の突起５３が形成されている。第１から第４の突起５３は、挿入部３４の長手方向にガイド面５１の全体にわたって延び、ガイド面５１の周方向に等間隔に配置されている。
【００８０】
チャンネルチューブ３０の外周面においてガイド面５１が摺動される際には、ガイド面５１の第１から第４の突起５３のみがチャンネルチューブ３０の外周面に接触されることになるため、チャンネルチューブ３０の外周面とガイド面５１との接触面積が減少され、チャンネルチューブ３０の外周面とガイド面５１との間の摩擦が低減される。
【００８１】
このように、本実施形態の分離型内視鏡では、チャンネルチューブ３０の外周面とガイド面５１との間の摩擦が低減されているため、チャンネルチューブ３０の外周面においてガイド面５１を円滑に摺動することができ、シース本体２２に挿入部３４を円滑に挿入することが可能となっている。
【００８２】
図１８は、本発明の第６実施形態の変形例を示す。
【００８３】
本変形例の分離型内視鏡では、ガイド面５１ではなく、チャンネルチューブ３０の外周面に、第１から第４の突起５３が形成されている。第１から第４の突起５３は、チャンネルチューブ３０の長手方向にチャンネルチューブ３０の全体にわたって延び、チャンネルチューブ３０の周方向に等間隔に配置されている。
【００８４】
チャンネルチューブ３０の外周面においてガイド面５１が摺動される際には、チャンネルチューブ３０の外周面の第１から第４の突起５３のみがガイド面５１に接触されることになるため、チャンネルチューブ３０の外周面とガイド面５１との接触面積が減少され、チャンネルチューブ３０の外周面とガイド面５１との間の摩擦が低減される。
【００８５】
また、突起５３に代えて様々な凹凸形状を用いることが可能であり、上述した第１乃至第５の実施形態及びその変形例のいずれのガイド面５１，５１ａ，５１ｂ，５１ｃ、チューブ２８，２９，３０の外周面にも、凹凸形状を設けることが可能である。
【００８６】
図１９は、本発明の第７実施形態を示す。
【００８７】
本実施形態の分離型内視鏡の構成は、図１１に示される第３実施形態の第３変形例の分離型内視鏡の構成と同様である。但し、本変形例のガイド部材４８では、第１及び第２のガイド孔５２ａ，５２ｂの内周側に、夫々、低摩擦部材としての第１及び第２の低摩擦層５４ａ，５４ｂが形成されている。そして、第１及び第２の低摩擦層５４ａ，５４ｂによって、夫々、第１及び第２のガイド面５１ａ，５１ｂが形成されている。例えば、ステンレス材で形成されているガイド部材４８では、ステンレス材にフッ素樹脂を共析させることにより低摩擦層を形成することが可能である。
【００８８】
送気チューブ２８、送水チューブ２９の外周面において、第１、第２のガイド面５１ａ，５１ｂが摺動される際には、第１、第２の低摩擦層５４ａ，５４ｂの作用により、送気チューブ２８、送水チューブ２９の外周面と第１、第２のガイド面５１ａ，５１ｂとの間の摩擦が低減される。
【００８９】
このように、本実施形態の分離型内視鏡では、送気チューブ２８、送水チューブ２９の外周面と第１、第２のガイド面５１ａ，５１ｂとの間の摩擦が低減されているため、送気チューブ２８、送水チューブ２９の外周面において第１、第２のガイド面５１ａ，５１ｂを円滑に摺動することができ、シース本体２２内に挿入部３４を円滑に挿入することが可能となっている。
【００９０】
図２０は、本発明の第７実施形態の変形例を示す。
【００９１】
本実施形態の分離型内視鏡の構成は、図１１に示される第３実施形態の第３変形例の分離型内視鏡の構成と同様である。但し、本変形例の送気チューブ２８及び送水チューブ２９では、送気チューブ２８及び送水チューブ２９の外周側に、夫々、低摩擦部材としての第１及び第２の低摩擦層５４ａ，５４ｂが形成されている。そして、第１及び第２の低摩擦層５４ａ，５４ｂによって、送気チューブ２８及び送水チューブ２９の外周面が夫々形成されている。例えば、塩化ビニル樹脂で形成されている送気チューブ２８及び送水チューブ２９では、塩化ビニル樹脂に炭化水素系の滑材を添加することにより第１及び第２の低摩擦層５４ａ，５４ｂを形成することが可能である。
【００９２】
また、低摩擦層５４ａ，５４ｂに代えて様々な低摩擦部材を用いることが可能であり、上述した第１乃至第５の実施形態及びその変形例のいずれのガイド面５１，５１ａ，５１ｂ，５１ｃの内周側、チューブ２８，２９，３０の外周側にも、低摩擦部材を設けることが可能である。
【図面の簡単な説明】
【００９３】
【図１】本発明の第１実施形態の分離型内視鏡を示す斜視図。
【図２】本発明の第１実施形態の分離型内視鏡の先端部を示す透視斜視図。
【図３】本発明の第１実施形態の分離型内視鏡の先端部を示す横断面図。
【図４】本発明の第１実施形態の変形例の分離型内視鏡の先端部を示す横断面図。
【図５】本発明の第２実施形態の分離型内視鏡の内視鏡シースを示す斜視図。
【図６】本発明の第２実施形態の分離型内視鏡の先端部を示す横断面図。
【図７】本発明の第２実施形態の変形例の分離型内視鏡の先端部を示す横断面図。
【図８】本発明の第３実施形態の分離型内視鏡の先端部を示す横断面図。
【図９】本発明の第３実施形態の第１変形例の分離型内視鏡の先端部を示す横断面図。
【図１０】本発明の第３実施形態の第２変形例の分離型内視鏡の先端部を示す横断面図。
【図１１】本発明の第３実施形態の第３変形例の分離型内視鏡の先端部を示す横断面図。
【図１２】本発明の第４実施形態の分離型内視鏡の先端部を示す横断面図。
【図１３】本発明の第４実施形態の第１変形例の分離型内視鏡の先端部を示す横断面図。
【図１４】本発明の第４実施形態の第２変形例の分離型内視鏡の先端部を示す横断面図。
【図１５】本発明の第４実施形態の第３変形例の分離型内視鏡の先端部を示す横断面図。
【図１６】本発明の第５実施形態の分離型内視鏡の先端部を示す斜視図。
【図１７】本発明の第６実施形態の分離型内視鏡の先端部を示す横断面図。
【図１８】本発明の第６実施形態の変形例の分離型内視鏡の先端部を示す横断面図。
【図１９】本発明の第７実施形態の分離型内視鏡の先端部を示す横断面図。
【図２０】本発明の第７実施形態の変形例の分離型内視鏡の先端部を示す横断面図。
【符号の説明】
【００９４】
２１…内視鏡シース、２２…シース本体、２３…シース先端部、２８；２９；３０…管部（２８…送気チューブ、２９…送水チューブ、３０…チャンネルチューブ）、３３…内視鏡本体、３４…挿入部、３８…撮像部、４８；４８ａ；４８ｂ…ガイド部材、４９…延出部、５１；５１ａ；５１ｂ；５１ｃ…ガイド面、５３；５４ａ，５４ｂ…摩擦低減部（５３…凹凸形状（突起）、５４ａ，５４ｂ…低摩擦部材（低摩擦層））。
【図１】
2009089724.tif 000003
【図２】
2009089724.tif 000004
【図３】
2009089724.tif 000005
【図４】
2009089724.tif 000006
【図５】
2009089724.tif 000007
【図６】
2009089724.tif 000008
【図７】
2009089724.tif 000009
【図８】
2009089724.tif 000010
【図９】
2009089724.tif 000011
【図１０】
2009089724.tif 000012
【図１１】
2009089724.tif 000013
【図１２】
2009089724.tif 000014
【図１３】
2009089724.tif 000015
【図１４】
2009089724.tif 000016
【図１５】
2009089724.tif 000017
【図１６】
2009089724.tif 000018
【図１７】
2009089724.tif 000019
【図１８】
2009089724.tif 000020
【図１９】
2009089724.tif 000021
【図２０】
2009089724.tif 000022